(57)【要約】【課題】光源装置に装着された複数の発光部品の色度のばらつきに応じた変換係数を選択できるようにする。【解決手段】ルックアップテーブル（ＬＵＴ）パラメータ格納部４４は、画像読取部３０により読み取られた画像データの色度を補正するための複数のＬＵＴパラメータを、光源として使用する白色ＬＥＤ３６の色度ばらつき範囲である色度エリア毎に格納する。色度エリア判定部４３は、白色ＬＥＤ３６とは色度が異なる色度エリア判別用ＬＥＤ６０を点灯させ白基準板１６に光を照射した際に画像読取部３０により読み取られ、位置補正部４２により位置補正等が行われた後のＲＧＢ画像データに基づいて、複数の白色ＬＥＤ３６の色度エリアを判定する。パラメータ選択部４５は、ＬＵＴパラメータ格納部４４に格納されている複数のＬＵＴパラメータの中から、色度エリア判定部４３における判定結果に対応するＬＵＴパラメータを選択する。【選択図】図１
2010213159.tif 000002
【特許請求の範囲】
【請求項１】
光源として機能する複数の発光部品と該発光部品とは色度が異なる判別用発光部品とが装着された光源装置を有し、該光源装置により原稿画像を照射して画像データを読み取る読取手段と、
前記判別用発光部品を点灯させ基準色領域に光を照射した際に前記読取手段により読み取られた画像データに基づいて、前記複数の発光部品の色度範囲を判定する判定手段と、
前記読取手段により読み取られた画像データの色度を補正するための複数の変換係数を格納する格納手段と、
前記格納手段に格納されている複数の変換係数の中から、前記判定手段における判定結果に対応する変換係数を選択する選択手段と、
前記選択手段により選択された変換係数を用いて、前記読取手段により読み取られた画像データの色度を補正する補正手段と、
を備えた画像読取装置。
【請求項２】
前記変換係数は、ある表色系の画像データを他の表色系の画像データに変換するための変換係数である請求項１記載の画像読取装置。
【請求項３】
光源として機能する複数の発光部品と該発光部品とは色度が異なる判別用発光部品とが装着された光源装置を有し、該光源装置により原稿画像を照射して画像データを読み取る読取手段と、前記判別用発光部品を点灯させ基準色領域に光を照射した際に前記読取手段により読み取られた画像データに基づいて、前記複数の発光部品の色度範囲を判定する判定手段と、前記読取手段により読み取られた画像データの色度を補正するための複数の変換係数を格納する格納手段と、前記格納手段に格納されている複数の変換係数の中から、前記判定手段における判定結果に対応する変換係数を選択する選択手段と、前記選択手段により選択された変換係数を用いて、前記読取手段により読み取られた画像データの色度を補正する補正手段とを備えた画像読取装置と、
前記画像読取装置により読み取られた画像データに基づいて画像を出力する画像出力手段と、
を有する画像形成装置。
【請求項４】
光源として機能する複数の発光部品と該発光部品とは色度が異なる判別用発光部品とが装着された光源装置。
【請求項５】
前記判別用発光部品が、光源として機能する複数の発光部品と前記光源装置上で同一線上に装着されている請求項４記載の光源装置。
【請求項６】
光源として機能する複数の発光部品と該発光部品とは色度が異なる判別用発光部品とが装着された光源装置と、
前記光源装置からの光を導くための導光部材と、
前記光源装置と前記導光部材との位置関係を固定する固定部材と、
を備えた光源ユニット。
【請求項７】
光源として機能する複数の発光部品と該発光部品とは色度が異なる判別用発光部品とが装着された光源装置に対して、前記判別用発光部品を点灯させるステップと、
点灯した前記判別用発光部品からの光を基準色領域に照射した際に読み取られた画像データに基づいて、前記複数の発光部品の色度範囲を判定するステップと、
複数の変換係数の中から、判定された色度範囲に対応する変換係数を選択するステップと、
選択された変換係数を用いて、読み取られた画像データの色度を補正するステップとをコンピュータに実行させるためのプログラム。
【発明の詳細な説明】
【技術分野】
【０００１】
本発明は、光源装置、光源ユニット、画像読取装置、画像形成装置およびプログラムに関する。
【背景技術】
【０００２】
特許文献１には、等式関数及び理想的な特定色の分光反射分布を用いて、理論式から特定のデバイスに依存しない理論的色範囲およびデバイスに依存する色再現範囲を求め、読み取った画像データの変換処理を行うようにした画像処理装置が開示されている。
【先行技術文献】
【特許文献】
【０００３】
【特許文献１】特許第３１４３５０８号公報
【発明の概要】
【発明が解決しようとする課題】
【０００４】
本発明の目的は、光源装置に装着された複数の発光部品の色度のばらつきに応じた変換係数を選択することを可能とする光源装置、光源ユニット、画像読取装置、画像形成装置およびプログラムを提供することである。
【課題を解決するための手段】
【０００５】
［画像読取装置］
請求項１に係る本発明は、光源として機能する複数の発光部品と該発光部品とは色度が異なる判別用発光部品とが装着された光源装置を有し、該光源装置により原稿画像を照射して画像データを読み取る読取手段と、
前記判別用発光部品を点灯させ基準色領域に光を照射した際に前記読取手段により読み取られた画像データに基づいて、前記複数の発光部品の色度範囲を判定する判定手段と、
前記読取手段により読み取られた画像データの色度を補正するための複数の変換係数を格納する格納手段と、
前記格納手段に格納されている複数の変換係数の中から、前記判定手段における判定結果に対応する変換係数を選択する選択手段と、
前記選択手段により選択された変換係数を用いて、前記読取手段により読み取られた画像データの色度を補正する補正手段とを備えた画像読取装置である。
【０００６】
請求項２に係る本発明は、前記変換係数は、ある表色系の画像データを他の表色系の画像データに変換するための変換係数である請求項１記載の画像読取装置である。
【０００７】
［画像形成装置］
請求項３に係る本発明は、光源として機能する複数の発光部品と該発光部品とは色度が異なる判別用発光部品とが装着された光源装置を有し、該光源装置により原稿画像を照射して画像データを読み取る読取手段と、前記判別用発光部品を点灯させ基準色領域に光を照射した際に前記読取手段により読み取られた画像データに基づいて、前記複数の発光部品の色度範囲を判定する判定手段と、前記読取手段により読み取られた画像データの色度を補正するための複数の変換係数を格納する格納手段と、前記格納手段に格納されている複数の変換係数の中から、前記判定手段における判定結果に対応する変換係数を選択する選択手段と、前記選択手段により選択された変換係数を用いて、前記読取手段により読み取られた画像データの色度を補正する補正手段とを備えた画像読取装置と、
前記画像読取装置により読み取られた画像データに基づいて画像を出力する画像出力手段とを有する画像形成装置である。
【０００８】
［光源装置］
請求項４に係る本発明は、光源として機能する複数の発光部品と該発光部品とは色度が異なる判別用発光部品とが装着された光源装置である。
【０００９】
請求項５に係る本発明は、前記判別用発光部品が、光源として機能する複数の発光部品と前記光源装置上で同一線上に装着されている請求項４記載の光源装置である。
【００１０】
［光源ユニット］
請求項６に係る本発明は、光源として機能する複数の発光部品と該発光部品とは色度が異なる判別用発光部品とが装着された光源装置と、
前記光源装置からの光を導くための導光部材と、
前記光源装置と前記導光部材との位置関係を固定する固定部材とを備えた光源ユニットである。
【００１１】
［プログラム］
請求項７に係る本発明は、光源として機能する複数の発光部品と該発光部品とは色度が異なる判別用発光部品とが装着された光源装置に対して、前記判別用発光部品を点灯させるステップと、
点灯した前記判別用発光部品からの光を基準色領域に照射した際に読み取られた画像データに基づいて、前記複数の発光部品の色度範囲を判定するステップと、
複数の変換係数の中から、判定された色度範囲に対応する変換係数を選択するステップと、
選択された変換係数を用いて、読み取られた画像データの色度を補正するステップとをコンピュータに実行させるためのプログラムである。
【発明の効果】
【００１２】
請求項１に係る本発明によれば、光源装置に装着された複数の発光部品の色度のばらつきに応じた変換係数を選択することができる画像読取装置を提供することができる。
【００１３】
請求項２に係る発明によれば、請求項１に係る発明により得られる効果に加えて、読取手段により読み取られた画像データを異なる表色系の画像データに変換する際に、画像データの色度の補正を行うことができる画像読取装置を提供することができる。
【００１４】
請求項３に係る本発明によれば、光源装置に装着された複数の発光部品の色度のばらつきに応じた変換係数を選択することができる画像形成装置を提供することができる。
【００１５】
請求項４に係る本発明によれば、光源装置に装着された複数の発光部品の色度のばらつきに応じた変換係数を選択することができる光源装置を提供することができる。
【００１６】
請求項５に係る本発明によれば、請求項４に係る発明により得られる効果に加えて、判別用発光部品による光を、光源として機能する複数の発光部品による光の経路と同じ経路を介して読取手段に到達させることができる光源装置を提供することができる。
【００１７】
請求項６に係る本発明によれば、光源装置に装着された複数の発光部品の色度のばらつきに応じた変換係数を選択することができる光源ユニットを提供することができる。
【００１８】
請求項７に係る本発明によれば、光源装置に装着された複数の発光部品の色度のばらつきに応じた変換係数を選択することができるプログラムを提供することができる。
【図面の簡単な説明】
【００１９】
【図１】本発明の一実施形態の画像読取装置の構成を示す図である。
【図２】本発明の一実施形態の画像読取装置の本体部２０と白基準板１６との位置関係を示す図である。
【図３】本発明の一実施形態の画像読取装置におけるＬＥＤアレイ基板３７の構成を示す図である。
【図４】色度エリアの設定の一例を説明するための図である。
【図５】白色ＬＥＤ３６の色度エリアと色度エリア判別用ＬＥＤ６０との対応関係の一例を示す図である。
【図６】図３に示すＬＥＤアレイ基板３７を含む光源ユニット７０を示す図である。
【図７】本発明の一実施形態の画像読取装置におけるルックアップテーブルパラメータ設定の際の動作を示すフローチャートである。の動作を示すフローチャートである。
【発明を実施するための形態】
【００２０】
次に、本発明の実施の形態について図面を参照して詳細に説明する。図１は本発明の一実施形態の画像読取装置の概略構成図である。
【００２１】
本実施形態の画像読取装置は、図１に示されるように、蓋部１０および本体部２０とから構成されている。
【００２２】
また、蓋部１０は、原稿トレイ１７と、原稿トレイ１７上に載置された原稿５０の待機位置に設けられた原稿分離ロール１１と、原稿を搬送する原稿搬送ロール１２と、読取ロール１３と、排出ロール１４と、白基準板１６（基準色領域）とを有している。これらの原稿分離ロール１１、原稿搬送ロール１２、読取ロール１３、排出ロール１４等により、複数ページの原稿を順次所定の原稿読み取り位置まで搬送する原稿搬送手段が構成される。
【００２３】
白基準板１６は、信号レベルの補正や光源の測色を行う際の基準となる白色反射面を有し、プラテンガラス２１の横に設置されている。
【００２４】
本体部２０は、プラテンガラス２１と、原稿搬送手段により原稿読み取り位置まで搬送された原稿の画像をページ毎に読み取るための画像読取部３０と、Ａ／Ｄ変換部４１と、位置補正部４２と、色度エリア（色度範囲）判定部４３と、ルックアップテーブル格納部４４と、パラメータ選択部４５と、色空間変換補正部４６とを有している。
【００２５】
画像読取部３０は、複数の白色ＬＥＤ３６が装着されたＬＥＤアレイ基板３７と、複数の白色ＬＥＤ３６からの光を導光するためのライトガイド３１と、反射ミラー３２、３３と、結像レンズ３４と、ＣＣＤ等の光電変換素子３５とから構成されている。
【００２６】
画像読取部３０は、図示しないキャリッジに設けられていて、副走査方向に移動可能となっている。そのため、プラテンガラス２１上に載置された原稿の画像を読み取る場合には、画像読取部３０は、副走査方向に移動しながら原稿の読み取りを行うことができる。また、原稿トレイ１７上に載置された原稿の画像を読み取る場合には、画像読取部３０は、読取ロール１３が設けられている原稿読み取り位置まで移動することにより、原稿トレイ１７から搬送されてきた原稿の画像を順次読み取ることができるような構成となっている。
【００２７】
図２は、本実施形態の画像読取装置の本体部２０と白基準板１６との位置関係を示す図である。本実施形態では、白基準板１６がプラテンガラス２１の横に設置されている場合を用いて説明しているが、白基準板１６が蓋部１０の本体部２０のプラテンガラス２１と接触する面に主走査方向に嵌め込まれて設置されている場合もある。なお、白基準板１６が蓋部１０に設置されているような構成の場合には、蓋部１０が持ち上げられると白基準板１６も蓋部１０とともに持ち上げられてしまうため、白基準板１６がプラテンガラス２１上に位置することは有り得ないが、図２中では説明の便宜上白基準板１６を示している。白基準板１６が蓋部１０に設置されている場合でも、図３に示されるように、蓋部１０が閉められている場合には、白基準板１６はプラテンガラス２１と主走査方向において接触している。
【００２８】
次に、ＬＥＤアレイ基板３７の構成について図３を参照して説明する。ＬＥＤアレイ基板３７には、光源として機能する複数の白色ＬＥＤ３６（発光部品）が装着されている。さらに、ＬＥＤアレイ基板３７には、この複数の白色ＬＥＤ３６が装着された同一ライン（線）上に、白色ＬＥＤ３６とは色度が異なるとともに白色ＬＥＤ３６の色度のばらつき範囲を示す色度エリア判別用ＬＥＤ６０が装着されている。ここでは、４個の色度エリア判別用ＬＥＤ６０がＬＥＤアレイ基板３７に装着されている場合を用いて説明するが、少なくとも１つ以上の色度エリア判別用ＬＥＤ６０を用いることにより本発明を実現可能である。
【００２９】
この色度エリア判別用ＬＥＤ６０は、通常の画像読み取り時に点灯することはなく、画像読取装置の起動時等の各種調整時のみに点灯するようになっている。
【００３０】
一般的に、白色ＬＥＤは、青色の発光点を黄色蛍光体により囲むことにより構成されている。そのため、この青色のばらつきと、黄色蛍光体のバランスにより、白色ＬＥＤはその色度が大きくばらつく。そのため、白色ＬＥＤの製造メーカでは、生産した白色ＬＥＤの色度をいくつかの色度範囲毎に分類し、その色度範囲に対応したランク指定を行って出荷している。例えば、図４に示すように、白色ＬＥＤは、製造メーカ側においてエリアＡ〜Ｄのいずれかの色度エリアを指定された状態で出荷されている。
【００３１】
そのため、ＬＥＤアレイ基板３７を生産する際に、ＬＥＤアレイ基板３７に装着した白色ＬＥＤ３６に指定されている色度エリアに対応した色の色度エリア判別用ＬＥＤ６０を選択してＬＥＤアレイ基板３７に装着する。ここで、１つのＬＥＤアレイ基板３７に装着する全ての白色ＬＥＤ３６は同じ色度エリアが指定されているものを使用することが前提となる。
【００３２】
この白色ＬＥＤ３６の色度エリアと色度エリア判別用ＬＥＤ６０との対応関係の一例を図５に示す。
【００３３】
この図５を参照すると、白色ＬＥＤ３６の色度エリアであるエリアＡ〜Ｄに対して、色度エリア判別用ＬＥＤ６０として、青色、緑色、橙色、赤色のＬＥＤを使用するよう設定されていることがわかる。つまり、例えば、ＬＥＤアレイ基板３７に装着した白色ＬＥＤ３６の色度エリアがエリアＡの場合には、色度エリア判別用ＬＥＤ６０として青色のＬＥＤを選択してＬＥＤアレイ基板３７に装着する。
【００３４】
この色度エリア判別用ＬＥＤ６０として使用する青色、緑色、橙色、赤色のＬＥＤの色度を、図４の色度図上において座標６１〜６４に示す。図４に示されるように、光源として使用する白色ＬＥＤ３６の色度と、色度エリア判別用ＬＥＤ６０として使用する青色、緑色、橙色、赤色のＬＥＤの色度とは、それぞれ、容易に判別可能なように一定量以上の色差が設けられている。
【００３５】
このようにして構成されるＬＥＤアレイ基板３７と、ライトガイド３１等の光学部品とは、固定部材により位置関係が固定された状態で光源ユニットとして脱着可能なように構成される。このＬＥＤアレイ基板３７を含む光源ユニット７０の一例を図６に示す。
【００３６】
次に、図１に示した、Ａ／Ｄ変換部４１、位置補正部４２、色度エリア判定部４３、ルックアップテーブル格納部４４、パラメータ選択部４５、色空間変換補正部４６の構成について説明する。
【００３７】
Ａ／Ｄ変換部４１は、画像読取部３０の光電変換素子３５によって得られたアナログのＲＧＢの画像データを、デジタルのＲＧＢ画像データに変換する。
【００３８】
位置補正部４２は、Ａ／Ｄ変換部４１によって変換されたデジタルのＲＧＢ画像データに対して、副走査方向における読取ラインの位置ずれを補正する位置補正を行なう。また、この位置補正部４２に、光学系の主走査方向の照度むら、センサ画素毎の感度むら、照明光量の時間的変動などに起因した出力変動を補正するシェーディング補正の機能を含めるようにしてもよい。
【００３９】
色度エリア判定部４３は、色度エリア判別用ＬＥＤ６０を点灯させ白基準板１６に光を照射した際に画像読取部３０により読み取られ、位置補正部４２により位置補正等が行われた後のＲＧＢ画像データに基づいて、複数の白色ＬＥＤ３６の色度エリアを判定する。
【００４０】
なお、色度エリア判定部４３は、ＲＧＢ画像データのＲ、Ｇ、Ｂの各色の画像信号の出力バランスに基づいて、色度エリア判別用ＬＥＤ６０の色を判定し、判定した色度エリア判別用ＬＥＤ６０の色により複数の白色ＬＥＤ３６の色度エリアを判定する。例えば、色度エリア判定部４３は、色度エリア判別用ＬＥＤ６０を点灯させた際のＲＧＢ画像データの色が緑であると判定した場合、使用されている白色ＬＥＤ３６の色度エリアは、エリアＢであると判定する。
【００４１】
ルックアップテーブルパラメータ格納部４４は、画像読取部３０により読み取られた画像データの色度を補正するための複数のルックアップテーブル（ＬＵＴ：Look Up Table）パラメータを格納している。このルックアップテーブルパラメータとは、ＲＧＢの画像データを、ＣＩＥ（国際照明委員会）により規定された表色系であるＬ*ａ*ｂ*（以下、Ｌａｂと略す。）により表現された画像データに変換するための変換係数である。
【００４２】
そして、ルックアップテーブルパラメータ格納部４４には、図４、図５に示したエリアＡ〜Ｄに対応した４つのルックアップテーブルパラメータが格納されている。
【００４３】
このルックアップテーブルパラメータを生成する際には、まず、光源となる白色ＬＥＤの全色度範囲のうち、中心値となる色度を設定し、この中心値の色度に基づいて基準となるルックアップテーブルパラメータを生成する。そして、この中心値とした色度を基準点として、この基準点からの色差が許容範囲を超える色度エリアに新たな作成点を設定し、この作成点の基準点からの色差が許容範囲内となるようなルックアップテーブルパラメータを生成する。このようにして白色ＬＥＤの色度エリアに対して、それぞれ対応するルックアップテーブルパラメータを生成する。
【００４４】
パラメータ選択部４５は、ルックアップテーブルパラメータ格納部４４に格納されている複数のルックアップテーブルパラメータの中から、色度エリア判定部４３における判定結果に対応するルックアップテーブルパラメータを選択する。つまり、色度エリア判定部４３において、ＬＥＤアレイ基板３７に装着されている白色ＬＥＤ３６の色度エリアがエリアＢであると判定された場合、パラメータ選択部４５は、エリアＢに対応して生成されたルックアップテーブルパラメータを選択する。
【００４５】
色空間変換補正部４６は、パラメータ選択部４５により選択されたルックアップテーブルパラメータを使用するパラメータとして設定し、画像読取部３０により読み取られ、Ａ／Ｄ変換部４１、位置補正部４２を介して入力されたＲＧＢ画像データをＬａｂの画像データに変換するとともに、この画像データの色度を補正する。
【００４６】
つまり、本実施形態では、色空間変換補正部４６は、ＲＧＢ画像データをＬａｂの画像データに変換する際に、ＬＥＤアレイ基板３７に装着されている白色ＬＥＤ３６の色度のばらつきを補正する。しかし、この色空間の変換と、色度のばらつきの補正を異なる処理において別々に実行するようにしてもよい。
【００４７】
次に、本実施形態の画像読取装置の動作について図面を参照して詳細に説明する。
図７は、本実施形態の画像読取装置におけるルックアップテーブルパラメータ設定の際の動作を示すフローチャートである。
【００４８】
先ず、キャリッジを移動させ画像読取部３０が白基準板１６下まで移動する（ステップＳ１０１）。そして、ＬＥＤアレイ基板３７に対して、装着されたＬＥＤのうち色度エリア判別用ＬＥＤ６０を点灯させる制御を行う（ステップＳ１０２）。ここでは、色度エリア判別用ＬＥＤ６０のみを点灯させて、白色ＬＥＤ３６を点灯させないようにしているが、色度エリア判別用ＬＥＤ６０の白を判別可能であれば、色度エリア判別用ＬＥＤ６０と白色ＬＥＤ３６を同時に点灯させた状態で、色度エリアの判定を行うようにするようにしてもよい。
【００４９】
この点灯した色度エリア判別用ＬＥＤ６０からの光が白基準板１６に照射された際に画像読取部３０により読み取られたＲＧＢ画像データはＡ／Ｄ変換部４１においてデジタルデータに変換され、位置補正部４２において位置補正が行なわれる。すると、色度エリア判定部４３は、この画像データに基づいて、ＬＥＤアレイ基板３７に装着されている白色ＬＥＤ３６の色度エリアを判定する（ステップＳ１０３）。
【００５０】
すると、パラメータ選択部４５は、ルックアップテーブルパラメータ格納部４４に格納されている複数のルックアップテーブルパラメータ（ＬＵＴパラメータ）の中から、色度エリア判定部４３における判定結果に対応するＬＵＴパラメータを選択する（ステップＳ１０４）。
【００５１】
そして、パラメータ選択部４５により選択されたＬＵＴパラメータを色空間変換補正部４６に設定する（ステップＳ１０５）。色空間変換補正部４６では、設定されたＬＵＴパラメータを用いて、位置補正部４２からのＲＧＢ画像データをＬａｂ画像データに変換して出力する。
【００５２】
この図７に示した処理は、画像読取装置の起動時に自動的に行うだけでなく、光源ユニット７０の脱着時、光源であるＬＥＤアレイ基板３７の交換時やメンテナンス時に意図的に行うようにしてもよい。
【００５３】
[変形例]
上記実施形態では、画像読取装置に対して本発明を適用した場合について説明したが、本発明はこれに限定されるものではなく、画像読取装置により読み取られた画像データに基づいて画像を出力する画像出力手段をさらに備えた画像形成装置に対しても同様に本発明を適用することができるものである。
【符号の説明】
【００５４】
１０    蓋部
１１    原稿分離ロール
１２    原稿搬送ロール
１３    読取ロール
１４    排出ロール
１６    白基準板
１７    原稿トレイ
１８    白基準パッチ
２０    本体部
２１    プラテンガラス
３０    画像読取部
３１    ライトガイド
３２、３３    反射ミラー
３４    結像レンズ
３５    光電変換素子
３６    白色ＬＥＤ
３７    ＬＥＤアレイ基板
４１    Ａ／Ｄ変換部
４２    位置補正部
４３    色度エリア判定部
４４    ルックアップテーブルパラメータ格納部
４５    パラメータ選択部
４６    色空間変換補正部
５０    原稿
６０    色度エリア判別用ＬＥＤ
６１〜６４    座標
７０    光源ユニット
Ｓ１０１〜Ｓ１０５    ステップ
【図１】
2010213159.tif 000003
【図２】
2010213159.tif 000004
【図３】
2010213159.tif 000005
【図４】
2010213159.tif 000006
【図５】
2010213159.tif 000007
【図６】
2010213159.tif 000008
【図７】
2010213159.tif 000009